(57)【要約】【課題】  衛生的で、且つ、軽量性に富んだパッド付きゴーグルを提供する。また、耳掛けに連結がしやすく、且つ、簡単に脱落せず、耐久性に富んだ構造とする。【解決手段】  レンズ回りのフレームに中空の顔面当てがい用パッドを周設した。また、パッドはシリコンゴムの成形体とした。さらに、パッドの下縁部または／および側縁部に凹陥部を設けた。一方、ストラップの両端にゴーグルの耳掛けに対して脱着可能な連結片を設けてなる構造については、前記耳掛けは先方外側を所定厚肉盗みすると共に、該肉盗み部の奥端に一段深く軸方向に向かって差込孔を設けてなる一方、前記連結片は前記肉盗み部と同じ厚みを有し、その先端に前記差込孔に挿入可能なＬ字状の爪部を設けると共に、後端に前記耳掛けの先端に係合する顎片を設けた。【選択図】        図１
2005102942.tif 000002
【特許請求の範囲】
【請求項１】
レンズ回りのフレームに中空の顔面当てがい用パッドを周設したことを特徴とするゴーグル。
【請求項２】
パッドはシリコンゴムの成形体である請求項１記載のゴーグル。
【請求項３】
パッドの下縁部または／および側縁部に凹陥部を設けた請求項１または２記載のゴーグル。
【請求項４】
ストラップの両端にゴーグルの耳掛けに対して脱着可能な連結片を設けてなる構造であって、前記耳掛けは先方外側を所定厚肉盗みすると共に、該肉盗み部の奥端に一段深く軸方向に向かって差込孔を設けてなる一方、前記連結片は前記肉盗み部と同じ厚みを有し、その先端に前記差込孔に挿入可能なＬ字状の爪部を設けると共に、後端に前記耳掛けの先端に係合する顎片を設けたことを特徴とするゴーグル。
【請求項５】
請求項１から３のうち何れか一項記載の構成と請求項４記載の構成とを併用してなるゴーグル
【発明の詳細な説明】
【技術分野】
【０００１】
この発明は、スキー用、レジャー用など、レンズ回りのフレームに、衝撃吸収や水、冷気等の侵入防止のため、眼周と密着するパッドを周設してなるゴーグルに係り、軽量化を目的とした構造に関するものである。また、フレーム左右の耳掛けに首掛け用ストラップを脱着可能に設けてなるゴーグルに関するものである。
【背景技術】
【０００２】
従来からレンズ回りのフレームに顔面当てがい用の環状パッドを設けてなるゴーグルは広く知られている（例えば、特許文献１）。前記パッドは顔面の眼周と密着して、その柔軟性により衝撃からの保護機能を有すると共に、密着性により前記フレーム内に水や冷気等の侵入を防止する機能を有する。これら機能を発揮するため、パッドは通常、ウレタンフォームやシリコンゴムを素材として成型される。
【０００３】
他方、未使用時にゴーグルを首に掛けられるよう、フレーム左右の耳掛けに適用可能なストラップも公知であり、例えば両端にゴム輪を縫着して、該ゴム輪を前記耳掛けに着脱可能に挿入するストラップが知られている。
【０００４】
【特許文献１】特開平１１−５７０６３号公報
【発明の開示】
【発明が解決しようとする課題】
【０００５】
上述した背景技術において、本発明が解決しようとする課題は次の通りである。即ち、先ずパッド付きの従来ゴーグルにおいては、パッド素材がウレタンフォームである場合、汗や水が染み込みやすく、不潔になるという課題がある。この点、シリコンゴムは、生体に対して低刺激性で、また肌との密着性、衝撃吸収のための柔軟性に富み、さらに撥水性により前記課題は軽減されるものの、従来はシリコンゴムを密実にしてパッドを成型していたため、ゴーグルの重量が大きくなるという課題があった。
【０００６】
一方、首掛け用ストラップについては、両端に設けたゴム輪が比較的弱い力で耳掛けから脱落したり、また経年劣化によりゴム輪に伸びきりが発生するなど、耐久性のないものであった。
【０００７】
本発明はこうした課題を解決するためになされたもので、その目的とするところは、衛生的で、且つ、軽量性に富んだパッド付きゴーグルを提供することにある。また、耳掛けに連結がしやすく、且つ、簡単に脱落せず、耐久性に富んだストラップ付きゴーグルを提供することも本発明の目的の一つである。
【課題を解決するための手段】
【０００８】
上述した目的を達成するために本発明では、レンズ回りのフレームに中空の顔面当てがい用パッドを周設するという手段を用いた。パッドを中空とすることで軽量化を図ることができる。パッドの素材は従来採用されていたものを含め、適当なものから選択することができるが、生体に対する低刺激性、肌との密着性、衝撃吸収のための柔軟性、撥水性により衛生性に富むシリコンゴムを採用することが好ましい。また、パッドの下縁部または／および側縁部に凹陥部を設けることによって、該凹陥部を通じて通気性が確保され、レンズが曇ることを防止することができる。凹陥部はパッドの下縁部や側縁部に設けられ、上縁部は顔面との密着性が保持されるため、額からの汗がフレーム内に侵入することもない。
【０００９】
一方、本発明では、ストラップ付きのゴーグルとして次のような手段を講じる。即ち、ストラップの両端にゴーグルの耳掛けに対して脱着可能な連結片を設けてなる構造であって、前記耳掛けは先方外側を所定厚肉盗みすると共に、該肉盗み部の奥端に一段深く軸方向に向かって差込孔を設けてなる一方、前記連結片は前記肉盗み部と同じ厚みを有し、その先端に前記差込孔に挿入可能なＬ字状の爪部を設けると共に、後端に前記耳掛けの先端に係合する顎片を設けてなる。当該構成によれば、爪部が顎片よりもやや突出した状態で成型されるため、該形状の連結片を耳掛けに取り付ける場合、先に差込孔に挿入した爪部の弾性によって顎片の係合力が高まり、連結片が不用意に脱落することがない。また、連結片はプラスチックにより成型されるから、ゴム輪などの伸縮素材に比べて耐久性も高い。
【００１０】
なお、上述したパッドとストラップを併用することによって、より機能性の高いゴーグルを提供することができることはもちろんである。
【発明の効果】
【００１１】
このように、上述した手段からなる本発明によれば、レンズ回りのフレームに中空の顔面当てがい用パッドを周設したので、軽量化を図ることができる。また、パッドをシリコンゴムから成型するので、撥水性により衛生性に富むパッド付きゴーグルとすることができる。さらに、パッドの下縁部または／および側縁部に凹陥部を設けることによって、額からの汗等の侵入を防止しながら、通気性が確保され、レンズの曇りを防止することができる。
【００１２】
一方、ストラップの両端にゴーグルの耳掛けに対して脱着可能な連結片を設けてなる構造であって、前記耳掛けは先方外側を所定厚肉盗みすると共に、該肉盗み部の奥端に一段深く軸方向に向かって差込孔を設けてなる一方、前記連結片は前記肉盗み部と同じ厚みを有し、その先端に前記差込孔に挿入可能なＬ字状の爪部を設けると共に、後端に前記耳掛けの先端に係合する顎片を設けてなるゴーグルにあっては、より強固にストラップを耳掛けに取り付けることができ、また経年劣化の小さい耐久性の高いものとすることができる。
【発明を実施するための最良の形態】
【００１３】
以下、本発明の好ましい実施の形態を添付した図面に従って説明する。図１は、本発明の一実施形態に係るゴーグルの全体斜視図であって、１はレンズ、２はレンズ回りのフレーム、３はフレーム左右に折り畳み可能に設けられた耳掛けであって、その基本的な構造は従来のゴーグルと変わるところはない。４は左右レンズ１に対応してフレーム２に周設されたシリコンゴム製のパッドであり、該パッド４は図２に示したように、中空に成型されていることを最大の特徴とする。従って、パッド４をシリコンゴムを密実にして成型した場合に比べて、重量を軽減することができる。また、この実施形態では、図１から明らかなように、パッド４の下縁部と側縁部に凹陥部５を設けており、該構成によって通気性を確保している。なお、パッド４のフレーム２に対する固着方法は接着によるのが簡便であるが、接着剤の選択や、その他の固着方法を本発明において特に限定するものではない。また、パッド４を他の素材から成型することも可能である。必要なことは、レンズ回りのフレームに中空の顔面当てがい用パッドを不用意に外れないように周設することである。
【００１４】
一方、６は首掛け用のストラップ、７はストラップ６の両端に設けた連結片であり、該連結片７は耳掛け３に対して脱着可能に取り付けられる。その具体的構造を図３に従って説明すると、耳掛け３は先方外側を所定厚肉盗みすると共に、該肉盗み部３ａの奥端に一段深く軸方向に向かって差込孔３ｂを設けてなる。該差込孔３ｂは耳掛け３の内側（肌側）に位置して設けられた補助片８を一部凹陥するまで達することによって一段深く形成されている。これに対して、前記連結片７は耳掛け３の前記肉盗み部３ａと同じ厚みを有し、その先端に前記差込孔３ｂに挿入可能なＬ字状の爪部７ａを設けると共に、後端に耳掛け３の先端に係合する顎片７ｂを設けてなる。なお、７ｃは耳掛け３を幅方向に抱持して、連結片７の取り付け時における左右ずれを防止するためのガードである。
【００１５】
上記構成による連結片７を耳掛け３に取り付けるには、図４に示す通り、先ず、爪部７ａを斜めにして耳掛け３の差込孔３ｂに挿入し、爪部７ａを支点として耳掛け３と平行となるように連結片７を矢印の方向に回転させる（図４（ａ））。そして、連結片７の後端顎片７ｂを耳掛け３の先端に係合するのであるが（図４（ｂ））、このとき爪部７ａは顎片７ｂよりも深い位置に弾性を持って挿入されるため、該弾性力に抗して耳掛け３の先端に係合される顎片７ｂは強いクリック力を発揮し、連結片７を強固に取り付けることができる。また、差込孔３ｂは耳掛け３の軸方向に伸びているため、これに挿入される爪部７ａは不用意に脱落しない。さらに、連結片７と耳掛け３の肉盗み部３ａの厚みを同じとしているので、連結片７の取り付け後、両者が面一となるため、連結片７に物が引っ掛かって外れる心配もなく、また見た目にもモダンでスッキリとする。なお、連結片７を取り外すには、上述した手順を逆にして、連結片７を図４（ａ）の矢印とは反対方向に回転させ、先ず顎片７ｂを外し、次いで爪部７ａを抜くという手順によって行うことはもちろんである。
【図面の簡単な説明】
【００１６】
【図１】本発明の一実施形態に係るゴーグルの全体斜視図
【図２】図１におけるＡ−Ａ線端面図
【図３】耳掛けと連結片との要部に係る平面視断面図
【図４】耳掛けに対する連結片の取り付け手順を示した説明図
【符号の説明】
【００１７】
１  レンズ
２  フレーム
３  耳掛け
３ａ  肉盗み部
３ｂ  差込孔
４  パッド
５  通気用凹陥部
６  ストラップ
７  連結片
７ａ  爪部
７ｂ  顎片
【図１】
2005102942.tif 000003
【図２】
2005102942.tif 000004
【図３】
2005102942.tif 000005
【図４】
2005102942.tif 000006